(57)【要約】【課題】コンクリート型枠セパレータの錆の発生を確実、容易且つ安価に防止できるコンクリート型枠セパレータ保護具を提供する。【解決手段】防錆効果を有する大径部２と、大径部２よりも小径に形成され、大径部２の一端から段差をもって延設された防錆効果を有する小径部３とで構成されたコンクリート型枠セパレータ保護具１であり、大径部２の外端部側に、コンクリート型枠セパレータの端部に刻設された雄ネジ部と螺合する雌ネジ部４が刻設され、小径部３の外端部側に、Ｐコン５の一端部に刻設された雌ネジ部６と螺合する雄ネジ部７が刻設され、前記大径部２の外周部は、１乃至複数箇所切欠されている（上下切断面２ａ，２ｂ）。そして、前記段差が形成された段差部１０に、小径部３に遊嵌させて、防錆効果を有する止水盤９が着脱自在に設けられる。止水盤９は、外周部が、Ｐコン５の雌ネジ部６が刻設された先端部の先端外周部よりも大径に形成されている。【選択図】図１
2011127329.tif 000002
【特許請求の範囲】
【請求項１】
防錆効果を有する大径部と、前記大径部よりも小径に形成され、前記大径部の一端から段差をもって延設された防錆効果を有する小径部とで構成され、
前記大径部の外端部側に、コンクリート型枠セパレータの端部に刻設された雄ネジ部と螺合する雌ネジ部が刻設され、
前記小径部の外端部側に、Ｐコンの一端部に刻設された雌ネジ部と螺合する雄ネジ部が刻設され、
前記コンクリート型枠セパレータの雄ネジ部に前記大径部の雌ネジ部を螺合することにより、前記コンクリート型枠セパレータの端部を被包し、錆の発生を防止するように構成されていることを特徴とするコンクリート型枠セパレータ保護具。
【請求項２】
前記大径部の外周部が１乃至複数箇所切欠されていることを特徴とする請求項１記載のコンクリート型枠セパレータ保護具。
【請求項３】
前記小径部に遊嵌自在に形成され、前記大径部よりも小径となる中心孔が開穿された、防錆効果を有する止水盤を、前記小径部に遊嵌し、前記段差が形成された段差部に着脱自在に設けることを特徴とする請求項１又は２記載のコンクリート型枠セパレータ保護具。
【請求項４】
前記止水盤は、外周部が、Ｐコンの雌ネジ部が刻設された先端部の先端外周部よりも大径に形成されていることを特徴とする請求項１乃至３のうちいずれか一に記載のコンクリート型枠セパレータ保護具。
【請求項５】
請求項１又は２に記載のコンクリート型枠セパレータ保護具の施工方法であって、型枠施工時に、コンクリート型枠セパレータに刻設された雄ネジ部に、前記コンクリート型枠セパレータ保護具の雌ネジ部を螺合し、
前記コンクリート型枠セパレータ保護具の雄ネジ部に前記Ｐコンの雌ネジ部を螺合し、
コンクリート打設後は、前記コンクリート型枠セパレータ保護具を埋め殺しにすることを特徴とするコンクリート型枠セパレータ保護具の施工方法。
【請求項６】
請求項３又は４に記載のコンクリート型枠セパレータ保護具の施工方法であって、型枠施工時に、コンクリート型枠セパレータに刻設された雄ネジ部に、前記コンクリート型枠セパレータ保護具の雌ネジ部を螺合し、
前記止水盤を前記小径部側から遊嵌して、前記段差部に当接させるように取付け、
前記コンクリート型枠セパレータ保護具の雄ネジ部に前記Ｐコンの雌ネジ部を螺合し、前記止水盤を前記段差部に当接させて固定し、
コンクリート打設後は、前記コンクリート型枠セパレータ保護具及び前記止水盤を埋め殺しにすることを特徴とするコンクリート型枠セパレータ保護具の施工方法。
【発明の詳細な説明】
【技術分野】
【０００１】
本発明は、コンクリート型枠セパレータの錆の発生を確実、容易且つ安価に防止できるコンクリート型枠セパレータ保護具及びその施工方法に関する。
【背景技術】
【０００２】
従来、この種の施工として、施工が簡単であることからＺコン（コンクリート型枠セパレータに嵌合する嵌合部がＺ型形状に形成された埋め込みコーン）が多く使用されてきたが、橋、壁、柱等に於いて、Ｚコンのまわりから錆が目立つようになり、Ｚコンの使用が少なくなった。
次に、木コン、２５ｍｍのＰコン（プラスチックコン）が主流となったが、この場合、埋コン、モルタルの穴埋めの施工にばらつきが発生しやすく、更に、錆、モルタルの欠落等が発生する虞があった。又、１０５ｍｍのロングＰコンも知られているが、ロングＰコンは、単価が高く、施工に手間がかかり、長さが長い分、変形したり、躯体との密着性が悪い、モルタルの埋め込みの手間がかかるという問題がある。従って、ロングＰコンは、熟練者でないと、欠陥が出やすいという問題がある。
【０００３】
此種技術の先行文献としては、例えば、特許文献１があり、特許文献１には、裁頭円錐形に形成され、その一端にセパレーターの雄ねじ部を螺合するためのねじ孔が形成され、他端に型枠締付けボルトの雄ねじ部を螺合するためのねじ孔が形成され、ねじ孔を有する端面及び側面部にコンクリートと接着しうる止水材が固着された型枠固定用セパレーターコーンが記載されている。
前記型枠固定用セパレーターコーンは、型枠撤去後に、セパレーター及び型枠固定用セパレーターコーンがコンクリート内にそのまま埋め殺され、セパレーター端部の穴埋め及び止水処理を行なうことができるものである。
【先行技術文献】
【特許文献】
【０００４】
【特許文献１】実開平５−４０５０１号公報
【発明の概要】
【発明が解決しようとする課題】
【０００５】
前述したように、従来のＺコン、木コン、２５ｍｍのＰコン、及び１０５ｍｍのロングＰコンには種々の問題点があった。
又、前記特許文献１は、型枠固定用セパレーターコーンが埋め殺されてしまうため、型枠固定用セパレーターコーン、及び、型枠固定用セパレーターコーンに開穿された施工後に露出するねじ孔が仕上げの外観を損なう虞があり、或いは、型枠固定用セパレーターコーンが合成樹脂等の場合には、劣化する問題がある。更に、コンクリートと止水材との接着が完全でない場合は、水が侵入し型枠固定用セパレーターコーンに錆が発生する虞がある。
【０００６】
以上の現状に鑑み、本発明は、コンクリート型枠セパレータの錆の発生を確実、容易且つ安価に防止できるコンクリート型枠セパレータ保護具及びその施工方法を提供することを目的とする。
【課題を解決するための手段】
【０００７】
上記の課題を解決すべく、本発明は以下の構成を提供する。
請求項１に係る発明は、防錆効果を有する大径部と、前記大径部よりも小径に形成され、前記大径部の一端から段差をもって延設された防錆効果を有する小径部とで構成され、
前記大径部の外端部側に、コンクリート型枠セパレータの端部に刻設された雄ネジ部と螺合する雌ネジ部が刻設され、
前記小径部の外端部側に、Ｐコンの一端部に刻設された雌ネジ部と螺合する雄ネジ部が刻設され、
前記コンクリート型枠セパレータの雄ネジ部に前記大径部の雌ネジ部を螺合することにより、前記コンクリート型枠セパレータの端部を被包し、錆の発生を防止するように構成されていることを特徴とするコンクリート型枠セパレータ保護具を提供するものである。
【０００８】
請求項２に係る発明は、前記大径部の外周部が１乃至複数箇所切欠されていることを特徴とする請求項１記載のコンクリート型枠セパレータ保護具を提供するものである。
【０００９】
請求項３に係る発明は、前記小径部に遊嵌自在に形成され、前記大径部よりも小径となる中心孔が開穿された、防錆効果を有する止水盤を、前記小径部に遊嵌し、前記段差が形成された段差部に着脱自在に設けることを特徴とする請求項１又は２記載のコンクリート型枠セパレータ保護具を提供するものである。
【００１０】
請求項４に係る発明は、前記止水盤は、外周部が、Ｐコンの雌ネジ部が刻設された先端部の先端外周部よりも大径に形成されていることを特徴とする請求項１乃至３のうちいずれか一に記載のコンクリート型枠セパレータ保護具を提供するものである。
【００１１】
請求項５に係る発明は、請求項１又は２に記載のコンクリート型枠セパレータ保護具の施工方法であって、型枠施工時に、コンクリート型枠セパレータに刻設された雄ネジ部に、前記コンクリート型枠セパレータ保護具の雌ネジ部を螺合し、
前記コンクリート型枠セパレータ保護具の雄ネジ部に前記Ｐコンの雌ネジ部を螺合し、
コンクリート打設後は、前記コンクリート型枠セパレータ保護具を埋め殺しにすることを特徴とするコンクリート型枠セパレータ保護具の施工方法を提供するものである。
【００１２】
請求項６に係る発明は、請求項３又は４に記載のコンクリート型枠セパレータ保護具の施工方法であって、型枠施工時に、コンクリート型枠セパレータに刻設された雄ネジ部に、前記コンクリート型枠セパレータ保護具の雌ネジ部を螺合し、
前記止水盤を前記小径部側から遊嵌して、前記段差部に当接させるように取付け、
前記コンクリート型枠セパレータ保護具の雄ネジ部に前記Ｐコンの雌ネジ部を螺合し、前記止水盤を前記段差部に当接させて固定し、
コンクリート打設後は、前記コンクリート型枠セパレータ保護具及び前記止水盤を埋め殺しにすることを特徴とするコンクリート型枠セパレータ保護具の施工方法を提供するものである。
【発明の効果】
【００１３】
本発明の請求項１記載の発明によれば、コンクリート型枠セパレータの錆の発生を確実、容易且つ安価に防止できるコンクリート型枠セパレータ保護具を提供することができる。
特に、コンクリート型枠セパレータ保護具によって、コンクリート型枠セパレータを完全密封することができ、型枠解体後、Ｐコンを外した後、市販の埋めコンを用いて、誰でも容易に仕上げができる。即ち、穴埋め、防水処理を専門職でなくても行なうことができる。
更に、ロングＰコンを使用しなくても錆の発生を防ぐことができる。
【００１４】
請求項２記載の発明によれば、請求項１記載の発明の効果に加え、大径部の外周部が１乃至複数箇所切欠されているので、切欠された部分にコンクリートが埋め込まれることにより、コンクリート打設後のコンクリート型枠セパレータ保護具が確実に保持され、Ｐコンを外す時に、コンクリート型枠セパレータ保護具の共回りが防止される。
【００１５】
請求項３記載の発明によれば、請求項１又は２記載の発明の効果に加え、止水盤により、コンクリート型枠セパレータ側への水の侵入を防止できる。又、埋めコンが完璧に行われなくてもコンクリート型枠セパレータ側へ、水が回りにくい。
【００１６】
請求項４記載の発明によれば、請求項１乃至３のうちいずれか一に記載の発明の効果に加え、止水盤は、外周部が、Ｐコンの雌ネジ部が刻設された先端部の先端外周部よりも大径に形成されているので、コンクリートの打設により、止水盤がコンクリートに保持され、Ｐコンを取外しても止水盤が外れない。
【００１７】
請求項５記載の発明によれば、コンクリート型枠セパレータの錆の発生を確実、容易且つ安価に防止できる。
特に、コンクリート型枠セパレータ保護具によって、コンクリート型枠セパレータを完全密封することができ、型枠解体後、Ｐコンを外した後、市販の埋めコンを用いて、誰でも容易に仕上げができる。即ち、穴埋め、防水処理を専門職でなくても行なうことができる。
更に、ロングＰコンを使用しなくても錆の発生を防ぐことができる。
【００１８】
請求項６記載の発明によれば、請求項５記載の発明の効果が期待できると共に、止水盤により、コンクリート型枠セパレータ側への水の侵入を確実に防止できる。
【図面の簡単な説明】
【００１９】
【図１】本発明のコンクリート型枠セパレータ保護具と止水盤の斜視図である。
【図２】本発明のコンクリート型枠セパレータ保護具と止水盤を組み合わせた正面断面図である。
【図３】本発明のコンクリート型枠セパレータ保護具と止水盤を組み合わせた斜視図である。
【図４】本発明のコンクリート型枠セパレータ保護具と止水盤を施工した状態を示す正面断面図である。
【図５】本発明のコンクリート型枠セパレータ保護具と止水盤を施工し、コンクリートを打設し、埋めコンを行った状態を示す正面断面図である。
【図６】本発明のコンクリート型枠セパレータ保護具を、止水盤を用いることなく施工した状態を示す正面断面図である。
【図７】本発明のコンクリート型枠セパレータ保護具を、止水盤を用いることなく施工し、コンクリートを打設し、埋めコンを行った状態を示す正面断面図である。
【発明を実施するための形態】
【００２０】
以下、実施例を示した図面を参照しつつ本発明の実施の形態を説明する。
図１に於いて、１は、本発明のコンクリート型枠セパレータ保護具であり、コンクリート型枠セパレータ保護具１は、防錆効果を有する大径部２と、大径部２よりも小径に形成され、大径部２の一端から段差（段差部１０）をもって延設された、防錆効果を有する小径部３とで構成される。即ち、前記大径部２と小径部３とは、一体に形成され、防錆効果を有する材料、例えば、ステンレスで形成されている。
【００２１】
そして、前記コンクリート型枠セパレータ保護具１は、大径部２の外端部側に、コンクリート型枠セパレータ（図示せず）の両端部に刻設された雄ネジ部（図示せず）のうち一つの雄ネジ部と螺合する雌ネジ部４が刻設され、小径部３の外端部側に、Ｐコン（コンクリート型枠セパレータ・型枠締付け金具であり、プラスチックコーンである。この場合、コーン軸足ボルトを含む。）５の一端部に刻設された雌ネジ部６と螺合する雄ネジ部７が刻設されている。
【００２２】
又、前記コンクリート型枠セパレータ保護具１の大径部２の外周部は、１乃至複数箇所が切欠されている。例えば、図１に示すように、大径部２の外周部の上部と下部が水平方向に切断（切欠）され、大径部２の外周部に図に於いて水平面からなる上切断面２ａと、下切断面２ｂとが形成されている。
【００２３】
更に、前記コンクリート型枠セパレータ保護具１とは別個に、コンクリート型枠セパレータ保護具１の小径部３に遊嵌自在に形成され、大径部２よりも小径となる中心孔８が開穿され、外周部が、Ｐコン５の雌ネジ部６が刻設された先端部の先端外周部よりも大径に形成された、防錆効果を有する円板状の止水盤９を形成し、止水盤９をコンクリート型枠セパレータ保護具１小径部３側から遊嵌し、段差が形成された段差部１０に着脱自在に設ける。前記止水盤９は、防錆効果を有する材料、例えば、ステンレスで形成されている。
【００２４】
図２及び図３は、前記コンクリート型枠セパレータ保護具１と、止水盤９と、Ｐコン５とを組み合わせた状態を示している。
図２及び図３に示すように、止水盤９をコンクリート型枠セパレータ保護具１の小径部３側から遊嵌して、段差部１０に当接させるように取付け、コンクリート型枠セパレータ保護具１の雄ネジ部７にＰコン５の雌ネジ部６を螺合し、止水盤９を段差部１０に当接させて固定する。
【００２５】
図４及び図５は、コンクリート型枠セパレータ保護具１及び止水盤９の施工方法を示したものである。
図４に示すように、先ず、コンクリート型枠セパレータ２１に刻設された左右の雄ネジ部２２に、夫々コンクリート型枠セパレータ保護具１の雌ネジ部４を螺合し、止水盤９をコンクリート型枠セパレータ保護具１の小径部３側から遊嵌して、段差部１０に当接させるように取付け、コンクリート型枠セパレータ保護具１の雄ネジ部７にＰコン５の雌ネジ部６を螺合し、止水盤９を段差部１０に当接させて固定する。
そして、コンクリート型枠セパレータ保護具１、止水盤９及びＰコン５を取付けたコンクリート型枠セパレータ２１を型枠の堰板２３に取り付ける。
コンクリート型枠セパレータ保護具１、止水盤９及びＰコン５を取付けたコンクリート型枠セパレータ２１と、堰板２３とは、公知の支保工（図示せず）で支えられ保持され、型枠が構築される。
型枠にコンクリート打設後は、支保工、堰板２３及びＰコン５を取り外し、Ｐコン５を取外したコンクリートの空洞部に、図５に示す如く、モルタル、或いは、市販の埋めコン２５を埋め込む。
この時、前記コンクリート型枠セパレータ保護具１及び止水盤９は埋め殺しにする。
【００２６】
図６は、前記コンクリート型枠セパレータ保護具１に、前記止水盤（図４に於いて９）を取り付けない事例を示している。
図６及び図７に従って、止水盤を取り付けない場合のコンクリート型枠セパレータ保護具１の施工方法を説明する。
図６に示すように、先ず、コンクリート型枠セパレータ２１に刻設された左右の雄ネジ部２２に、夫々コンクリート型枠セパレータ保護具１の雌ネジ部４を螺合し、コンクリート型枠セパレータ保護具１の雄ネジ部７にＰコン５の雌ネジ部６を螺合する。
そして、コンクリート型枠セパレータ保護具１及びＰコン５を取付けたコンクリート型枠セパレータ２１を型枠の堰板２３に取り付ける。
コンクリート型枠セパレータ保護具１及びＰコン５を取付けたコンクリート型枠セパレータ２１と、堰板２３とは、公知の支保工（図示せず）で支えられ保持され、型枠が構築される。
型枠にコンクリート打設後は、支保工、堰板２３及びＰコン５を取り外し、Ｐコン５を取外したコンクリートの空洞部に、図７に示す如く、モルタル、或いは、市販の埋めコン２５を埋め込む。
この時、前記コンクリート型枠セパレータ保護具１は埋め殺しにする。
【符号の説明】
【００２７】
１  コンクリート型枠セパレータ保護具
２  大径部
３  小径部
４，６  雌ネジ部
５  Ｐコン
７，２２  雄ネジ部
８  中心孔
９  止水盤
１０  段差部
２１  コンクリート型枠セパレータ
【図１】
2011127329.tif 000003
【図２】
2011127329.tif 000004
【図３】
2011127329.tif 000005
【図４】
2011127329.tif 000006
【図５】
2011127329.tif 000007
【図６】
2011127329.tif 000008
【図７】
2011127329.tif 000009